(57)【特許請求の範囲】
【請求項１】
複数のモニタ画面の各々に対応して設けられ、対応する前記モニタ画面に画像信号を出力する複数の画像出力手段と、
入力する位置を示すための画像（指示入力画像）を表示する画像信号を出力する前記複数の画像出力手段のうちの１つである画像出力手段（指示入力画像出力手段）と
アクティブウインドウ（操作画面画像）を表示する画像信号を出力する前記複数の画像出力手段のうちの１つである画像出力手段（操作画面画像出力手段）と、を特定し、
前記指示入力画像出力手段と前記操作画面画像出力手段以外の前記複数の画像出力手段からの、画像信号の出力を停止する表示位置検出手段と、
を有することを特徴とする画面制御装置。
【請求項２】
前記画像出力手段は、中央演算装置から出力される画像信号を前記モニタ画面に出力し、
前記表示位置検出手段は、前記指示入力画像出力手段と前記操作画面画像出力手段とがそれぞれ異なる場合、前記中央演算装置に同一の画像出力手段から前記指示入力画像と前記操作画面画像を出力するよう処理した画像信号を送信することを指示する命令を送信し、
前記中央処理装置は、前記指示入力画像出力手段である前記画像出力手段に前記指示入力画像と前記操作画面画像の両者を表示する画像信号を出力し、
前記表示位置検出手段は、前記指示入力画像出力手段以外の前記画像出力手段からの画像信号の出力を停止することを特徴とする、請求項１の画面制御装置。
【請求項３】
前記画像出力手段は、中央演算装置から出力される画像信号を前記モニタ画面に出力し、
前記表示位置検出手段は、前記操作画面画像が複数のモニタ画面をまたがって表示されている場合、前記中央演算装置に同一の画像出力手段から前記操作画面画像を出力するよう、処理した画像信号を送信することを指示し、
前記中央処理装置は、前記指示入力画像出力手段である前記画像出力手段に前記指示入力画像と前記処理した操作画面画像の両者を表示する画像信号を出力し、
前記表示位置検出手段は、前記指示入力画像出力手段以外の前記画像出力手段からの画像信号の出力を停止することを特徴とする、請求項１の画面制御装置。
【請求項４】
前記表示位置検出手段は、前記指示入力画像出力手段と前記操作画面画像出力手段以外の前記複数の画像出力手段が接続するモニタへの供給電力を、前記指示入力画像出力手段と前記操作画面画像出力手段とにそれぞれ接続するモニタへの供給電力よりも低い量に抑制することを特徴とする請求項１乃至３いずれかの画面制御装置。
【請求項５】
複数のモニタ画面の各々に対応し、前記モニタ画面に画像信号を出力する複数の画像出力手段のうちの１つである、入力する位置を示すための画像（指示入力画像）を表示する画像信号を出力する、画像出力手段（指示入力画像出力手段）と前記複数の画像出力手段の１つである、アクティブウインドウ（操作画面画像）を表示する画像信号を出力する、画像出力手段（操作画面画像出力手段）と、を特定し、
前記指示入力画像出力手段と前記操作画面画像出力手段以外の前記複数の画像出力手段による画像信号の出力を停止する表示位置検出処理を、コンピュータに実行させることを特徴とする画面制御プログラム。
【請求項６】
前記画像出力手段は、コンピュータから出力される画像信号を前記モニタ画面に出力し、
前記指示入力画像出力手段と前記操作画面画像出力手段とがそれぞれ異なる場合に、同一の画像出力手段から前記指示入力画像と前記操作画面画像を、前記複数のモニタ画面のうちの１つに出力することを決定する前記表示位置検出処理と、前記決定に従って前記画像信号を生成する処理と、前記同一の画像出力手段以外の前記画像出力手段からの画像信号の出力を停止する処理とを、前記コンピュータに実行させることを特徴とする、請求項５の画面制御プログラム。
【請求項７】
前記画像出力手段は、コンピュータから出力される画像信号を前記モニタ画面に出力し、
前記操作画面画像が複数のモニタ画面をまたがって表示されている場合、同一の画像出力手段から前記操作画面画像を、前記複数のモニタ画面のうちの１つに出力することを決定する前記表示位置検出処理と、前記決定に従って前記画像信号を生成する処理と前記同一の画像出力手段以外の前記画像出力手段からの画像信号の出力を停止する処理とを、前記コンピュータに実行させることを特徴とする、請求項６の画面制御プログラム。
【請求項８】
前記指示入力画像出力手段と前記操作画面画像出力手段以外の前記複数の画像出力手段が画像信号を出力するモニタへの供給電力を、前記指示入力画像出力手段と前記操作画面画像出力手段にそれぞれ接続するモニタへの供給電力よりも低い量に抑制する前記表示位置検出処理を、前記コンピュータに実行させることを特徴とする請求項５乃至７いずれかの画面制御プログラム。
【請求項９】
複数のモニタ画面の各々に対応する複数の画像出力手段から画像信号を出力し、入力する位置を示すための画像（指示入力画像）を表示する画像信号を出力する、前記複数の画像出力手段のうちの１つである画像出力手段（指示入力画像出力手段）と
アクティブウインドウ（操作画面画像）を表示する画像信号を出力する、前記複数の画像出力処理のうちの１つである画像出力手段（操作画面画像出力手段）と、を特定し、
前記指示入力画像出力手段と前記操作画面画像出力手段以外の前記複数の画像出力手段による画像信号の出力を停止することを特徴とする画面制御方法。
【請求項１０】
中央演算装置から出力される画像信号を前記モニタ画面に出力し、
前記指示入力画像出力手段と前記操作画面画像出力手段とがそれぞれ異なる場合、前記中央演算装置に、同一の画像出力手段から前記指示入力画像と前記操作画面画像を出力するよう処理した画像信号を送信することを指示する命令を送信し、
前記中央処理装置は、前記同一の画像出力手段に前記指示入力画像と前記処理した操作画面画像の両者を表示する画像信号を出力し、
前記指示入力画像出力手段以外の前記画像出力手段からの画像信号の出力を停止することを特徴とする、請求項９の画面制御方法。
【発明の詳細な説明】
【技術分野】
【０００１】
本発明は画面制御装置、プログラム及び方法に関する。
【背景技術】
【０００２】
パーソナルコンピュータのモニタには、近年ＬＣＤモニタが多く使用され、表示する情報量を増やし作業効率を上げるために高解像度化が進んでいるが、高解像度のＬＣＤモニタは高価であり、消費電力が高い等でコストもかかる。画面に表示する情報量を増やし、作業効率を上げる方法の一つとして、解像度は低いが低価格なＬＣＤモニタを複数台パーソナルコンピュータに接続する方法がある。この方法は、１つの画面を分割して複数台のモニタで表示するものであり、マルチモニタと称されて普及している。しかしながら、パーソナルコンピュータを操作する使用者が複数台のモニタのうち、１台のモニタのみを使用して作業を行っている場合、他のモニタは画面表示されているが使用者はその画面を利用していないこととなり、他のモニタは無駄に電力を消費していた。
【０００３】
このような問題を解決するために、例えば、特許文献１は複数の表示装置を接続可能な情報処理装置に関して、次のような方法を開示している。この方法は、操作をしていることを示す情報が画面に表示されている表示装置を検出し、検出された表示装置以外の表示装置を省電力モードに移行させるというものである。この方法は、マウスポインタまたはカーソルの位置を検出することにより、どちらも検出されない表示装置を省電力モードに移行させる方法である。マウスポインタまたはカーソルが表示されていない表示装置はすべて省電力モードに移行してしまう。したがって、カーソルを表示しない方式のアプリケーションの場合等、そのアプリケーションを表示するアクティブウィンドウがマウスポインタと異なる表示装置に表示されても、その表示装置は省電力モードのままになるという問題が発生する。その場合、使用者は、そのアプリケーションをすぐには操作できないという状況になり、使用者の作業効率が、著しく低下する。
【０００４】
また、特許文献２は、複数のモニタが接続可能なコンピュータシステムにおいて、次のような方法を開示している。この方法は、マウスポインタとアクティブウィンドウの位置を現行のスクリーンセーバーと組み合わせることで、ある特定のモニタ上でそれらの表示がない状態が一定時間続いた段階で、そのモニタを低消費電力モードに遷移させるというものである。
【０００５】
また、特許文献３には、マウスイベントを検出してメイン及びサブモニタ画面間を移動することが開示されている。
【０００６】
また、特許文献４には、マウス等の入力操作部、表示制御部、複数の画像モニタを有する装置において、マウスの操作により縮小画像を選択すると、その画像がいずれか画像モニタに表示されることを開示している。
【０００７】
また、特許文献５には、マルチディスプレイシステムにおいて、プロジェクタに画像情報が所定時間以上入力されない場合は画像出力を停止し、省電力モードに切り替えることが開示されている。
【０００８】
また、特許文献６には、物理的接触を検出して表示ウィジェットを表示、または非表示とすることが開示されている。
【先行技術文献】
【特許文献】
【０００９】
【特許文献１】特開２０１０−４９５５７
【特許文献２】特開２０００−１６３０３５
【特許文献３】特開２００２−２６８８６８
【特許文献４】特開２００４−３３３５２２
【特許文献５】特開２００８−１５２３７７
【特許文献６】特開２００８−２８７７４６
【発明の概要】
【発明が解決しようとする課題】
【００１０】
本発明が解決しようとする課題は、使用者の作業効率を損なわずに画像表示装置の省力化を図ることである。特許文献１の方法では、マウスポインタまたはカーソルが表示されていない表示装置はすべて省電力モードに移行してしまう。したがって、カーソルを表示しない方式のアプリケーションの場合などは、そのアプリケーションを表示するアクティブウィンドウがマウスポインタと異なる表示装置に表示されても、その表示装置は省電力モードのままである。そのため、使用者は、そのアプリケーションをすぐには操作できないので、作業効率が損なわれる、という問題がある。
【００１１】
特許文献２の方法でも、使用者がアプリケーションを起動しアクティブウィンドウを表示させた場合、マウスポインタが表示されているモニタと別のモニタにアクティブウィンドウが表示されることがあるので、特許文献１と同様の問題が発生する。
【００１２】
本発明の目的は、上記課題を解決して、使用者の作業効率を損なわずに画像表示装置の省力化を図ることである。
【課題を解決するための手段】
【００１３】
本発明によれば、複数のモニタ画面の各々に対応して設けられ、対応する前記モニタ画面に画像信号を出力する複数の画像出力手段と、指示入力画像を表示する画像信号を出力する前記複数の画像出力手段のうちの１つである画像出力手段（指示入力画像出力手段）と操作画面画像を表示する画像信号を出力する前記複数の画像出力手段のうちの１つである画像出力手段（操作画面画像出力手段）と、を特定し、前記指示入力画像出力手段と前記操作画面画像出力手段以外の前記複数の画像出力手段からの、画像信号の出力を停止する表示位置検出手段と、を有することを特徴とする画面制御装置が得られる。
【００１４】
本発明によれば、複数のモニタ画面の各々に対応する複数の画像出力手段からの画像信号を出力する画像出力処理と、指示入力画像を表示する画像信号を出力する前記複数の画像出力手段のうちの１つである画像出力手段（指示入力画像出力手段）と操作画面画像を表示する画像信号を出力する前記複数の画像出力手段のうちの１つである画像出力手段（操作画面画像出力手段）と、を特定し、前記指示入力画像出力手段と前記操作画面画像出力手段以外の前記複数の画像出力手段による画像信号の出力を停止する表示位置検出処理と、をコンピュータに実行させることを特徴とする画面制御プログラムが得られる。
【００１５】
本発明によれば、複数のモニタ画面の各々に対応する複数の画像出力手段からの画像信号を出力し、指示入力画像を表示する画像信号を出力する、前記複数の画像出力手段のうちの１つである画像出力手段（指示入力画像出力手段）と操作画面画像を表示する画像信号を出力する、前記複数の画像出力処理のうちの１つである画像出力手段（操作画面画像出力手段）と、を特定し、前記指示入力画像出力手段と前記操作画面画像出力手段以外の前記複数の画像出力手段による画像信号の出力を停止することを特徴とする画面制御方法が得られる。
【発明の効果】
【００１６】
本発明によれば、使用者の作業効率を損なわずに画像表示装置の省力化を図ることができる。
【図面の簡単な説明】
【００１７】
【図１】図１は本発明の第１の実施の形態を示す画面制御装置のブロック図である。
【図２】図２は第１の実施形態における動作フローチャートである。
【図３】図３は第２の実施形態における動作フローチャートである。
【図４】図４は第１の実施形態における画面状態の一例である。
【図５】図５は第１の実施形態における画面状態の一例である。
【図６】図６は第２の実施形態における画面推移の一例である。
【図７】図７は第２の実施形態における画面推移の一例である。
【図８】図８は本発明の第３の実施形態を示す画面制御装置のブロック図である。
【発明を実施するための形態】
【００１８】
（第１の実施形態）本発明の第１の実施の形態が、以下に図面を参照して詳細に説明される。図１は本発明の第１の実施の形態を示す画面制御装置のブロック図である。図１において、パーソナルコンピュータ等を利用して構築される画面制御装置３０は、格納するＨＤＤ（Ｈａｒｄ  Ｄｉｓｋ  Ｄｒｉｖｅ）３５、メモリ３４、ビデオカード３１および３２、表示位置検出部４０、画像信号制御部４３を有する。ここで、ＨＤＤ３５には、画面制御装置３０で制御する画像データが格納されている。なお、ＨＤＤ３５、メモリ３４は、以降、総称して記憶装置とも呼ぶ。
また、画面制御装置３０はＨＤＤ３５、ＣＰＵ（Ｃｅｎｔｒａｌ  Ｐｒｏｃｅｓｓｉｎｇ  Ｕｎｉｔ）３３、ＯＳ（Ｏｐｅｒａｔｉｎｇ  Ｓｙｓｔｅｍ）を有している。
【００１９】
なお、ビデオカードとは、パーソナルコンピュータなどの各種のコンピュータで、映像を信号として出力または入力する機能を、拡張カード等で独立させたものである。
【００２０】
また、画面制御装置３０は、入出力制御部３６、キーボード６１、マウス７１を有している。表示位置検出部４０は、マウスポインタ検出部４１、ウィンドウ検出部４２から構成されている。なお、マウスは以降、指示入力装置とも呼び、マウスポインタは指示入力画像とも呼ぶ。またＣＰＵは以降、中央演算装置とも呼ぶ。
【００２１】
ビデオカード３１および３２は、それぞれ画像スイッチ３７、３８を介してそれぞれ画像信号ケーブル５１および画像信号ケーブル５２でＬＣＤモニタ１１およびＬＣＤモニタ２１（ＬＣＤ：ＬｉｑｕｉｄＣｒｙｓｔａｌＤｉｓｐｌａｙ）と、に接続されている。
なお、ビデオカードは、以降、画像出力部とも呼ぶ。
【００２２】
画像スイッチ３７および画像スイッチ３８は、それぞれビデオカード３１、ビデオカード３２から出力される画像信号のＬＣＤパネル１１、ＬＣＤパネル２１への送信を画像信号制御部４３からの信号によりＯＮ／ＯＦＦすることができる。
【００２３】
このようにして、ＬＣＤモニタ１１およびＬＣＤモニタ１２は、画面制御装置３０からの画像を表示することができる。また、ＬＣＤモニタ１１およびＬＣＤモニタ２１は、２台のモニタで１つの画面を表示するマルチモニタ表示ができる構成となっている。使用者がマウス７１、もしくはキーボード６１を操作することにより、使用者の命令信号が入出力制御部３６を介してＣＰＵ３３に伝えられる。ＣＰＵ３３から情報を受けた表示位置検出部４０は、マウスポインタ検出部４１でマウスポインタ１２の表示位置を、ウィンドウ検出部４２でアクティブウィンドウ１３の表示位置を、それぞれ検出する。
【００２４】
なお、アクティブウィンドウとは、コンピュータの画面上に複数開いているウィンドウの中で、利用者が入力などの操作を行える状態にあるウィンドウを言う。
なお、ウィンドウ検出部４２は以降、単にウィンドウ位置検出部とも呼ぶ。また、アクティブウィンドウ１３は以降、操作画面画像とも呼ぶ。
【００２５】
表示位置検出部４０は、この検出結果を元に、マウスポインタ１２、もしくはアクティブウィンドウ１３の画像信号をビデオカード３１もしくはビデオカード３２に振り分ける。ビデオカード３１からの画像信号はＬＣＤモニタ１１に、ビデオカード３２からの画像信号はＬＣＤモニタ２１にそれぞれ表示される。このようにして、マウスポインタ１２およびアクティブウィンドウ１３は、マウス７１もしくはキーボード６１の操作により、ＬＣＤモニタ１１とＬＣＤモニタ２１の画面上をシームレスに移動することができる。
【００２６】
表示位置検出部４０は、ＣＰＵ３３とビデオカード３１およびビデオカード３２の間に位置し、ＣＰＵ３３からの描画命令や画像データを解析することができる。描画命令や画像データは、表示位置検出部４０からビデオカード３１およびビデオカード３２へ送られる。
【００２７】
マウスポインタ検出部４１は、マウスポインタ１２をＬＣＤモニタ１１またはＬＣＤモニタ２１に表示するために、ビデオカード３１またはビデオカード３２のどちらを使用しているかを検出する機能を有する。例えば、マウスポインタ検出部４１は、マウスポインタ１２を表示するためにビデオカード３１を使用していれば、マウスポインタ１２はＬＣＤモニタ１１に表示されると判定する。また、例えばマウスポインタ検出部４１は、マウスポインタ１２を表示するためにビデオカード３２を使用していれば、マウスポインタ１２はＬＣＤモニタ２１に表示されていることを検出する。
【００２８】
ウィンドウ検出部４２は、アクティブウィンドウ１３をＬＣＤモニタ１１またはＬＣＤモニタ２１に表示するために、ビデオカード３１またはビデオカード３２のどちらを使用しているかを検出する機能を有する。例えば、ウィンドウ検出部４２は、アクティブウィンドウ１３を表示するためにビデオカード３１を使用していれば、アクティブウィンドウ１３はＬＣＤモニタ１１に表示されると判定する。
【００２９】
また、例えば、ウィンドウ検出部４２は、アクティブウィンドウ１３を表示するためにビデオカード３２を使用していれば、アクティブウィンドウ１３はＬＣＤモニタ２１に表示されていると検出する。また、アクティブウィンドウ１３は、マルチモニタ環境においてＬＣＤモニタ１１とＬＣＤモニタ２１の境界をまたいで両方に表示される場合がある。この場合は、アクティブウィンドウ１３を表示するためにビデオカード３１とビデオカード３２の両方を使用している。ウィンドウ検出部４２は、アクティブウィンドウ１３がＬＣＤモニタ１１とＬＣＤモニタ２１の両方に表示されていることを検出できる。さらに、ウィンドウ検出部４２は、アクティブウィンドウ１３の表示にビデオカード３１またはビデオカード３２のどちらも使用されていない（ウィンドウが画面に表示されていない）ことも検出することができる。
【００３０】
画像信号制御部４３は、表示位置検出部４０からの命令により、ビデオカード３１およびビデオカード３２がそれぞれＬＣＤモニタ１１およびＬＣＤモニタ２１へ出力する画像信号を個別に出力または停止する機能を有する。
【００３１】
なお、表示位置検出部４０、マウスポインタ検出部４１、ウィンドウ検出部４２、画像信号制御部４３は論理回路等のハードウェアで構成されていてもよいし、ＣＰＵ３３が、図示されていないメモリに格納されているプログラムを実行することで実現されてもよい。
【００３２】
ＬＣＤモニタ１１とＬＣＤモニタ２１は、画面制御装置３０に搭載されたビデオカード３１およびビデオカード３２からの画像信号が停止すると、画面表示を停止し、バックライトをオフする機能を有している。これにより、ＬＣＤモニタ１１およびＬＣＤモニタ２１は、画像信号が停止した場合、省電力モードに移行し消費電力を低減することができる。
【００３３】
次に、本発明の第１の実施の形態の動作について図面を参照して説明する。
図２は、画面制御装置３０の動作についてフローチャートに表したものである。使用者が画面制御装置３０を起動後、まずステップＳ１０１において、表示位置検出部４０から画像信号制御部４３へビデオカード３１およびビデオカード３２の画像信号を出力する命令を行う。画像信号制御部４３は画像信号スイッチ３７と画像信号スイッチ３８をＯＮして、ビデオカード３１およびビデオカード３２からの画像信号をＬＣＤモニタ１１およびＬＣＤモニタ２１に出力する。ＬＣＤモニタ１１およびＬＣＤモニタ２１はこの画像信号の画面表示を行う。
【００３４】
次にステップＳ１０２において、マウスポインタ検出部４１は、マウスポインタ１２を表示するためにビデオカード３１またはビデオカード３２のどちらを使用しているか検出する。マウスポインタ１２の表示にビデオカード３１を使用していると検出された場合は、表示位置検出部４０は、ビデオカード３１の画像信号を出力することに関するステップＳ１０１の命令を継続する。ビデオカード３１はＬＣＤモニタ１１へ画像信号を出力しつづけ、ＬＣＤモニタ１１は画面表示を継続する（Ｓ１０３）。
【００３５】
ステップＳ１０２において、マウスポインタ１２の表示がビデオカード３２を使用してなされていると検出された場合は、表示位置検出部４０は、ビデオカード３２の画像信号を出力することに関するステップＳ１０１の命令を継続する。ビデオカード３２はＬＣＤモニタ２１へ画像信号を出力しつづけ、ＬＣＤモニタ２１は画面表示を継続する（Ｓ１０８）。
【００３６】
ステップＳ１０４で、ウィンドウ検出部４２が、アクティブウィンドウ１３がビデオカード３１からもビデオカード３２からも表示されないこと（なし）を検出した場合は、表示位置検出部４０は、以下のように処理する。すなわち表示位置検出部４０は、画像信号制御部４３へビデオカード３２の画像信号のＬＣＤモニタ２１への出力の停止を命じる（Ｓ１０６）。画像信号制御部４３は画像信号スイッチ３８をＯＦＦして、ビデオカード３２からＬＣＤモニタ２１への画像信号の出力を停止する。ＬＣＤモニタ２１は画面表示を停止し、省電力モードに移行する。この時のＬＣＤモニタ１１、ＬＣＤモニタ２１の画面の状態は図４（ａ）に示すものとなる。
【００３７】
ウィンドウ検出部４２が、アクティブウィンドウ１３の表示があること（あり）を検出した場合、ウィンドウ検出部４２は、アクティブウィンドウ１３の表示に、ビデオカード３１、ビデオカード３２のいずれが使用されているかを検出する（Ｓ１０５）。
【００３８】
ウィンドウ検出部４２が、アクティブウィンドウ１３の表示にビデオカード３１を使用していることを検出した場合は、表示位置検出部４０は、以下のように処理する。すなわち表示位置検出部４０は、画像信号制御部４３に、ビデオカード３２の画像信号のＬＣＤモニタ２１への出力を停止させる（Ｓ１０６）。画像信号制御部４３は画像信号スイッチ３８をＯＦＦして、ビデオカード３２からＬＣＤモニタ２１への画像信号の出力を停止する。
ＬＣＤモニタ２１は画面表示を停止し、省電力モードに移行する。この時のＬＣＤモニタ１１、ＬＣＤモニタ２１の画面の状態は図５（ａ）に示すものとなる。
【００３９】
ステップＳ１０５において、ウィンドウ検出部４２が、アクティブウィンドウ１３の表示にビデオカード３２を使用している、と検出した場合は、表示位置検出部４０はステップＳ１０１の処理を継続する。アクティブウィンドウ１３の表示にビデオカード３２と、ビデオカード３１の両方が使用されていることを検出した場合も、ウィンドウ検出部４２は同様にＳ１０１の処理を継続する。すなわち、表示位置検出部４０は、画像信号制御部４３に対してビデオカード３２の画像信号の出力命令を継続する。画像信号制御部４３は画像スイッチ３８をＯＮのままとし、ビデオカード３２からの画像信号はＬＣＤモニタ２１に継続して出力される。
【００４０】
ステップＳ１０９で、ウィンドウ検出部４２が、アクティブウィンドウ１３がビデオカード３１からもビデオカード３２からも表示されないことを検出した場合は、表示位置検出部４０は、画像信号制御部４３へビデオカード３１の画像信号のＬＣＤモニタ１１への出力の停止を命じる。画像信号制御部４３は画像信号スイッチ３７をＯＦＦして、ビデオカード３１からＬＣＤモニタ１１への画像信号の出力を停止する。ＬＣＤモニタ１１は画面表示を停止し、省電力モードに移行する。この時のＬＣＤモニタ１１、ＬＣＤモニタ２１の画面の状態は図４（ｂ）に示すものとなる。
【００４１】
ウィンドウ検出部４２が、アクティブウィンドウ１３の表示があることを検出した場合、ウィンドウ検出部４２は、アクティブウィンドウ１３の表示に、ビデオカード３１、ビデオカード３２のいずれが使用されているかを検出する（Ｓ１１０）。ウィンドウ検出部４２が、アクティブウィンドウ１３の表示にビデオカード３２を使用していることを検出した場合は、表示位置検出部４０は、以下のように処理する。すなわち表示位置検出部４０は、画像信号制御部４３に、ビデオカード３１の画像信号のＬＣＤモニタ１１への出力を停止させる（Ｓ１１１）。画像信号制御部４３は画像信号スイッチ３７をＯＦＦして、ビデオカード３１からＬＣＤモニタ１１への画像信号の出力を停止する。ＬＣＤモニタ１１は画面表示を停止し、省電力モードに移行する。この時のＬＣＤモニタ１１、ＬＣＤモニタ２１の画面の状態は図５（ｂ）に示すものとなる。
【００４２】
ステップＳ１１０において、ウィンドウ検出部４２が、アクティブウィンドウ１３の表示にビデオカード３１を使用している、と検出した場合は、表示位置検出部４０はステップＳ１０１の処理を継続する。アクティブウィンドウ１３の表示にビデオカード３１と、ビデオカード３２の両方が使用されていることを検出した場合も、ウィンドウ検出部４２は同様にＳ１０１の処理を継続する。すなわち、表示位置検出部４０は、画像信号制御部４３に対してビデオカード３１の画像信号の出力命令を継続する。画像信号制御部４３は画像スイッチ３７をＯＮのままとし、ビデオカード３１からの画像信号はＬＣＤモニタ１１に出力される。
【００４３】
ステップＳ１０６、Ｓ１１１の処理が完了したら、画面制御装置３０は、Ｓ１０２以降の処理を繰り返す。
【００４４】
以上により、マウスポインタ１２とアクティブウィンドウ１３がともにビデオカー
ド３１を使用して表示されていると検出された場合は、ＬＣＤモニタ１１の画面表
示は行い、ＬＣＤモニタ２１の画面表示は停止し消費電力を低減することができる。
【００４５】
また、マウスポインタ１２とアクティブウィンドウ１３がともにビデオカード３
２を使用して表示されていると検出された場合は、ＬＣＤモニタ２１の画面表示は
行い、ＬＣＤモニタ１１の画面表示は停止し消費電力を低減することができる。
【００４６】
また、アクティブウィンドウ１３の表示がされていない場合は、マウスポインタ１２
が表示されているＬＣＤモニタのみ画面表示を行い、マウスポインタ１２が表示されていないＬＣＤモニタは、画面表示を停止することにより消費電力を低減することができる。
【００４７】
この実施形態では、画面制御装置３０が、ＬＣＤモニタ１１とＬＣＤモニタ２１の２台を用いた場合について説明したが、３台以上でも同様に実施可能である。
【００４８】
なお、この実施の形態では、表示位置検出部４０は、ステップ１０６、１１０で、ビデオカード３２、３１の画像信号の、ＬＣＤモニタ１１、２１への出力を停止とともに、ＬＣＤモニタ１１、２１を省電力モードにしている。しかし、表示位置検出部４０は、単に画像信号の出力を停止するだけでもよく、必ずしも省電力モードにする必要はない。頻繁に使用する画面を変える用途の場合は、モニタの起動に費やされる電力を軽視できないので、画像信号の、ＬＣＤモニタ１１、２１への出力を停止するだけの方法の方が、省エネルギーの効果が高い。
【００４９】
（第２の実施形態）次に、本発明の第２の実施形態について説明する。図３は、上記の発明に加えて、ステップＳ２０１〜Ｓ２０４の処理が追加されたフローチャートを表したものである。ステップＳ１０１〜Ｓ１１１の動作は、上記発明と同様である。また、図６、図７はこれらの処理の過程で生じるＬＣＤモニタ１１、ＬＣＤモニタ２１の状態変化を示している。ここで、図６、図７はマウスポインタ１２の表示のためにビデオカード３１を使用している場合についてのみ表している。マウスポインタ１２の表示のためにビデオカード３２を使用している場合についても、ＬＣＤモニタ１１とＬＣＤモニタ２１を入れ替えることにより、これらの図によりＬＣＤモニタ１１とＬＣＤモニタ２１の状況が説明可能である。
【００５０】
ステップＳ１０５において、ウィンドウ検出部４２が、アクティブウィンドウ１３の表示にビデオカード３２を使用していること（図６（ａ））を検出した場合は、操作表示位置検出部４０はＳ２０１の処理を行う。なお、アクティブウィンドウ１３の表示に、ビデオカード３１をビデオカード３２とともに使用している場合（図７（ａ））も、操作表示位置検出部４０はＳ２０１の処理を行う。すなわち、操作表示位置検出部４０はビデオカード３１に格納された選択ウィンドウ８１の画像データを、画像信号制御部４３に命じてＬＣＤモニタ１１に表示させ、使用者にＬＣＤモニタ２１への画像出力の有無を問う（図６（ｂ）、図７（ｂ））。
【００５１】
使用者は、選択ウィンドウ８１の画面表示に対して、マウス７１のクリック操作等によりマウスポインタ１２を移動させ、ＹＥＳかＮＯかを選択する（図６（ｂ）、図７（ｂ））。使用者がＹＥＳを選択した場合は、表示位置検出部４０は、画像信号制御部４３へビデオカード３２の画像信号を出力するよう命令を継続する（Ｓ１０１）。ビデオカード３２はＬＣＤモニタ２１へ画像信号を出力し、ＬＣＤモニタ２１は画面表示を継続する（図６（ｃ）、図７（ｃ））。ステップＳ２０１において、使用者が選択ウィンドウ８１の画面表示でＮＯを選択した場合は、表示位置検出部４０は、アクティブウィンドウ１３をビデオカード３１で表示するような制御を行うよう、ＣＰＵ３３に指示する（Ｓ２０２）。ＣＰＵ３３はアクティブウィンドウ１３をビデオカード３１で表示するよう処理を行う。表示位置検出部４０がソフトウェアで実現されている場合は、ＣＰＵ３３に指示する代わりにアクティブウィンドウ１３をビデオカード３１で表示するよう決定を行なう。その決定に従って、ＣＰＵ３３はアクティブウィンドウ１３がビデオカード３１で表示されるよう、画像信号を生成する処理を行う。
【００５２】
次に表示位置検出部４０は、画像信号制御部４３へビデオカード３２の画像信号を停止するよう命令を行う（Ｓ１０６）。ビデオカード３２がＬＣＤモニタ２１への画像信号を停止することにより、ＬＣＤモニタ２１は画面表示を停止し、省電力モードに移行する（図６（ｄ）、図７（ｄ））。
【００５３】
ステップＳ１１０において、ウィンドウ検出部４２が、アクティブウィンドウ１３の表示にビデオカード３１を使用している、と検出した場合は、操作表示位置検出部４０はＳ２０４の処理を行う。なお、アクティブウィンドウ１３の表示に、ビデオカード３２をビデオカード３１とともに使用している場合も、操作表示位置検出部４０はＳ２０１の処理を行う。すなわち、操作表示位置検出部４０はビデオカード３２に格納された選択ウィンドウ８１のデータを、画像信号制御部４３に命じてＬＣＤモニタ２１に表示させ、使用者にＬＣＤモニタ１１への画像出力の有無を問う。使用者は、選択ウィンドウ８１の画面表示に対して、マウス７１のクリック操作等により、マウスポインタ１２を移動させ、ＹＥＳかＮＯかを選択する。使用者がＹＳＥを選択した場合は、表示位置検出部４０は、画像信号制御部４３へビデオカード３１の画像信号を出力するよう命令を継続する（Ｓ１０１）。
【００５４】
ビデオカード３１はＬＣＤモニタ１１へ画像信号を出力し、ＬＣＤモニタ１１は画面表示を行う。ステップＳ２０４において、使用者が選択ウィンドウ８１に対してＮＯを選択した場合は、表示位置検出部４０は、アクティブウィンドウ１３をビデオカード３２で表示するよう、ＣＰＵ３３に指示する（Ｓ２０４）。ＣＰＵ３３はアクティブウィンドウ１３をビデオカード３２で表示するよう処理を行う。表示位置検出部４０がソフトウェアで実現されている場合は、ＣＰＵ３３に指示する代わりにアクティブウィンドウ１３をビデオカード３２で表示するよう決定を行なう。その決定に従って、ＣＰＵ３３はアクティブウィンドウ１３がビデオカード３２で表示されるよう、画像信号を生成する処理を行う。
次に表示位置検出部４０は、画像信号制御部４３へビデオカード３１の画像信号を停止するよう命令を行う（Ｓ１１１）。ビデオカード３１がＬＣＤモニタ１１への画像信号を停止することにより、ＬＣＤモニタ１１は画面表示を停止し、省電力モードに移行する。
【００５５】
以上の実施形態では、画面制御装置３０は、アクティブウィンドウ１３を、マウスポインタ１２が表示されている一方のＬＣＤモニタに、マウスポインタ１２と合わせて表示する機能を発揮する。したがって、画面制御装置３０は、他方のＬＣＤモニタを省電力モードに移行させることができるので、消費電力の低減が実現する。
【００５６】
また、以上の実施形態は、使用者がアクティブウィンドウ１３を別のウィンドウに切り替えたとき、この別のウィンドウがマウスポインタ１２を表示しているＬＣＤモニタと異なるＬＣＤモニタに表示される場合にも適用することができる。この場合、使用者は、マウスポインタ１２を表示しているＬＣＤモニタに、このウィンドウの表示を切り替えるという選択が可能である。
【００５７】
また、以上の実施形態は、使用者がアクティブウィンドウ１３を、このアクティブウィンドウ１３を表示するＬＣＤモニタとは別のＬＣＤモニタに表示される他のウィンドウへ不用意に切り替えてしまったときにも、有効である。この場合、マウスポインタ１２が表示されているＬＣＤモニタに、このウィンドウを表示させることができるので、消費電力の低減につながる。
【００５８】
なお、この実施形態についても、画面制御装置３０はＬＣＤモニタを２台有しているが、３台以上でも同様に本実施形態を実施することは可能である。
【００５９】
また、以上の実施形態においては、画面制御装置３０は、指示入力デバイスとしてマウスを用い、マウスポインタを画面上で移動させているが、必ずしもマウスである必要はなく、キーボード入力によりカーソルを移動させてもよい。また、画面制御装置３０は、トラックボールの操作によりカーソル、ポインタ等を移動させてもよい。
【００６０】
また、以上の実施形態においてはモニタとしてＬＣＤモニタを用いたが、ブラウン管、プラズマディスプレイ等をモニタとして用いることも可能である。
【００６１】
（第３の実施形態）本発明の第３の実施形態については、図８を参照して詳細に説明する。本発明の第３の実施形態は、複数のモニタ画面の各々に対応して設けられ、対応する前記モニタ画面に画像信号を出力する複数の画像出力部３１、３２等と、指示入力画像を表示する画像信号を出力する前記複数の画像出力手段のうちの１つである画像出力部（指示入力画像出力部）と操作画面画像を表示する画像信号を出力する前記複数の画像出力手段のうちの１つである画像出力部（操作画面画像出力部）と、を特定し、前記指示入力画像出力部と前記操作画面画像出力部以外の前記複数の画像出力部からの、画像信号の出力を停止する表示位置検出部４０と、を有することを特徴とする画面制御装置３０である。
【００６２】
本実施形態の効果は、使用者の作業効率を損なわずに画像表示装置の省力化を可能とすることである。
【符号の説明】
【００６３】
１１    ＬＣＤモニタ
１２    マウスポインタ
１３    アクティブウィンドウ
２１    ＬＣＤモニタ
３０    画面制御装置
３１    ビデオカード
３２    ビデオカード
３３    ＣＰＵ
３４    メモリ
３５    ＨＤＤ
３６    入出力制御部
３７    画像信号スイッチ
３８    画像信号スイッチ
４０    表示位置検出部
４１    マウスポインタ検出部
４２    ウィンドウ検出部
４３    画像信号制御部
５１    画像信号ケーブル
５２    画像信号ケーブル
６１    キーボード
７１    マウス
８１    選択ウィンドウ
【図１】
0005357128.tif 000002
【図２】
0005357128.tif 000003
【図３】
0005357128.tif 000004
【図４】
0005357128.tif 000005
【図５】
0005357128.tif 000006
【図６】
0005357128.tif 000007
【図７】
0005357128.tif 000008
【図８】
0005357128.tif 000009